(57)【特許請求の範囲】
【請求項１】
耳当て部をテンプル本体に回動自在に取り付ける眼鏡用テンプルの耳当て部回転装置であって、
前記耳当て部の一側に形成された回転管と、
この回転管の内側に形成され、バネの一端が挿入固定される押圧孔と、
前記テンプル本体に形成され、前記回転管が回転自在に挿入される孔と、
前記テンプル本体の前記孔に形成され、前記バネの他端が挿入固定される押圧孔と、
前記テンプル本体に対する前記回転管の回転角を規制する回転規制手段と、
を有することを特徴とする眼鏡用テンプルの耳当て部回転装置。
【請求項２】
前記回転規制手段が、前記回転管の外周面に形成された当接面と、前記孔の内部に凸設され、前記当接面と当接する規制する突起とを有することを特徴とする請求項１に記載の眼鏡用テンプルの耳当て部回転装置。
【請求項３】
前記テンプルの孔に挿入して固定される管状の固定具を有し、前記押圧孔及び前記突起を前記固定具に形成したことを特徴とする請求項２に記載の眼鏡用テンプルの耳当て部回転装置。
【請求項４】
前記テンプルの孔内で、前記バネを形成するコイルの解き方向にバネの直径を拡大させつつ回転管が回転し、前記孔の内周面に前記バネが押し当てられることで前記回転管の回転量を規制することを特徴とする請求項１〜３のいずれかに記載の眼鏡用テンプルの耳当て部回転装置。
【発明の詳細な説明】
【技術分野】
【０００１】
本発明は、眼鏡用テンプルの耳当て部回転装置に関する。
【背景技術】
【０００２】
一般的に、眼鏡は、用途によって多様な機能及び装着方法を有する。
すなわち、運動時には、目の保護を目的とするスポーツゴーグルを使用するが、スポーツゴーグルは、激しい活動時にも簡単に外れないように、眼鏡フレームに締めバンドを結合して形成する。また、視力の校正及びファッションを目的とする眼鏡は、眼鏡フレームに鼻パット部及びテンプルの耳当て部を形成し、装着者の鼻面及び耳に掛けることで装着する。
本発明は、前記のように、鼻パット部及びテンプルの耳当て部によって装着される眼鏡に係り、テンプルの耳当て部を所定角度に弾性的に回転可能にするすることで眼鏡の掛け心地を向上させ、このように掛け心地を向上させるために、本出願人は、既に下記特許文献１を出願したことがある。
【０００３】
すなわち、従来には、眼鏡の掛け心地を向上させるために、熟練した技術者によって鼻パット部の間隔及び高さなどを調節し、テンプルの耳当て部も適正な角度に曲げることで調整した。しかし、眼鏡の使用中、外部の衝撃などによって眼鏡の外形が変形する場合には、装着者が眼鏡の形を調節し直すことが難しかった。本出願人は、前記のような従来の眼鏡の問題点を改善するために、下記特許文献１において、テンプルを回転可能にすることによって、眼鏡の装着者に掛け心地の最も良い角度にテンプルを調節して耳当て部を掛けるようにした方法を提案した。下記特許文献１には、眼鏡のフレームとテンプルとを連結する蝶番部に、テンプルを外側に弾性的に曲げ可能にした構成とともに、蝶番部でテンプルを軸方向に回転可能にした構成が記載されている。
【特許文献１】韓国特許登録第０３１０４８１号明細書
【発明の開示】
【発明が解決しようとする課題】
【０００４】
テンプルは、眼鏡の外観の美しさを導出する主な構成要素の一つであって、多様なデザインに形成されうるが、上記特許文献１におけるテンプルは、眼鏡のフレームに結合される蝶番の後部から回転する。すなわち、上記文献に記載のテンプルは、装着者の側頭部に密着するテンプル部が回転するわけである。
そのため、テンプルの断面が長方形、すなわち、横幅と縦幅とが相異なるものだと、眼鏡の掛け心地が悪くなるという問題がある。このような問題を解消するには、テンプルの断面を円形に形成するか、横幅と縦幅の寸法をほぼ同じにしなければならないため、デザインや使用が制限されるという問題がある。
本発明は、本願出願人による上記特許文献１に記載の眼鏡用テンプルを改良すべくなされたもので、テンプルのデザインの制限がなく、ファッション性と装着性に優れた眼鏡用テンプルの耳当て部の回転装置の提供を目的とする。
【課題を解決するための手段】
【０００５】
前記課題を解決するために、請求項１に記載の発明は、耳当て部をテンプル本体に回動自在に取り付ける眼鏡用テンプルの耳当て部回転装置であって、前記耳当て部の一側に形成された回転管と、この回転管の内側に形成され、バネの一端が挿入固定される押圧孔と、前記テンプル本体に形成され、前記回転管が回転自在に挿入される孔と、前記テンプル本体の前記孔に形成され、前記バネの他端が挿入固定される押圧孔と、前記テンプル本体に対する前記回転管の回転角を規制する回転規制手段とを有する構成としてある。前記回転規制手段は、回転管の回転角を一定範囲内に規制できるものであればよく、例えば、請求項２に記載するように、前記回転管の外周面に形成された当接面と、前記孔の内部に凸設され、前記当接面と当接する規制する突起とを有する構成としてもよい。
なお、前記押圧孔や前記突起は、請求項３に記載するように前記テンプルの孔に挿入して固定される管状の固定具に設けてもよい。
さらに、請求項４に記載するように、前記孔内で、バネを形成するコイルの解き方向にバネの直径を拡大させつつ回転管が回転し、前記孔の内周面に前記バネが密着することで前記回転管の回転量を規制するようにしてもよい。
【発明の効果】
【０００６】
本発明によれば、眼鏡の装着時に耳当て部をテンプル本体から外側に回転可能にして、装着者の耳の裏側で密着して装着されるようにすることで、眼鏡の掛け心地が良く、装着者が耳当て部の角度を調節する必要がないため、使用が便利である。また、回転装置の部品数が低減し、加工性及び組み立て性に優れているため、生産性に優れているという効果がある。また、テンプルのデザインの制限がなく、多様なデザインに対応することが可能で、外観とファッション性に優れる眼鏡を得ることができる。
【発明を実施するための最良の形態】
【０００７】
以下、添付図面を参照して、本発明の好ましい実施形態を説明する。
図１は、本発明に係るテンプルの耳当て部の回転装置の要部の分解斜視図であり、図２は、本発明に係るテンプルの耳当て部の回転装置の断面図であり、図３は、本発明に係るテンプルの耳当て部の回転装置の要部を拡大した断面図であり、図４は、本発明に係るテンプルの耳当て部の回転装置の作動時の一実施形態を示す例示図である。
回転管２０１の内側には、バネ３の外径よりも僅かに大きい内径の作動孔２０２及びバネ３の外径より僅かに小さい内径の押圧穴２０３が順に形成されている。回転管２０１の一側の外周には、その一部を横断方向に切り欠いた溝状の当接面２０４と、その外径方向外側に張り出し形成されたフランジ状の凸部２０５とが形成される。
【０００８】
バネ３の一端は、作動孔２０２を通って押圧穴２０３に押込固定される。固定具１は、一側に段差部１０１が形成され、他側に固定片１０５が形成されてなり、固定具１の内側には、凸部２０５が挿入される凸部挿入孔１０２、バネ３の外径よりも僅かに大きい内径の回転孔１０３及びバネ３の外径より僅かに小さい内径の押圧穴１０４が順に形成される。回転具２に結合されたバネ３の外側の端部を固定具１の押圧穴１０４に挿入することによって固定具１と回転具２とを結合させる。固定具１の一端１０５には、テンプル本体４の孔に挿入された固定管１を固定するためのボルトを挿通させるボルト孔１０６が形成される。固定管１には、当接面２０４に当接する突起７を形成する。突起７は、固定管１の一部を点カシメすることで簡単に形成することができる。この突起７は当接面２０４に挿入されることで、固定具１に対する回転管２０１の回転角度を一定に規制するとともに、回転管２０１が固定具１から脱出しないようにする。
【０００９】
バネ３は、円形のそれぞれのコイルの間に隙間を形成しないトーションスプリングで、回転具２を固定具１の内側で一方向にのみ回転可能にする。
すなわち、バネ３の一端は、固定具１に押込固定され、他端は、回転具２に押込固定される。図３に示すように、バネ３の両端の固定部の間は回転管２０１の作動孔２０２の内側に位置し、固定具１内で、バネ３を形成するコイルの解き方向にバネ３の直径が拡大しつつ、回転具２が回転し、コイルの巻き方向にバネ３を形成するコイルが密着して、回転具２が回転しない。バネ３を形成するコイルが拡張して解かれるときに、拡張するバネ３のコイルの外周が作動孔２０２の内壁に密着すれば、回転具２の回転が停止して、回転具２の回転量を制限する。テンプルの耳当て部５とテンプル本体４とを分離して形成することによって、テンプル本体４に固定具１が結合され、耳当て部５に回転具２が結合されれば、テンプル本体４から耳当て部５が所定角度に回転する。
【００１０】
一方、フレーム６にテンプルを結合させるとき、耳当て部５は、フレームの外側へ回転することが好ましく、対向する他側のテンプルは、内側に挿入されるバネ３の巻き方向を互いに逆方向に形成することによって、両側のテンプルの耳当て部は対称に作動する。
【図面の簡単な説明】
【００１１】
【図１】本考案に係る耳当て部回転装置の要部の分解斜視図である。
【図２】本考案に係る耳当て部回転装置の断面図である。
【図３】本考案に係る耳当て部回転装置の要部を拡大した断面図である。
【図４】本考案に係る耳当て部回転装置の作動時の一実施形態を示す例示
【符号の説明】
【００１２】
１  固定具
２  回転具
３  バネ
４  テンプル本体
５  耳当て部
６  フレーム
７  突起
１０１  段差部
１０２  凸部挿入孔
１０３  回転孔
１０４  押圧穴
１０５  一端
１０６  ボルト孔
２０１  回転管
２０２  作動孔
２０３  押圧穴
２０４  当接面
２０５  凸部
【図１】
0004960322.tif 000002
【図２】
0004960322.tif 000003
【図３】
0004960322.tif 000004
【図４】
0004960322.tif 000005